(57)【要約】【課題】  グローブボックスの内部を外部から見る場合の視界を、従来に比して著しく広くすることができてグローブボックスの使用者の操作性を向上させることができるグローブボックスのグローブポート閉塞用インナーリングの提供を課題とする。【解決手段】  グローブポート閉塞用インナーリングは、密着円筒部１０と円形隔壁部２０とによって構成されている。密着円筒部１０の外周壁部分には、装着されるパッキングを収納するための収納溝１１が形成されている。密着円筒状１０は、焼却可能な合成樹脂によって構成されている。円形隔壁部２０は、焼却可能で且つ透明な合成樹脂によって構成されている。【選択図】  図２
0003153073.tif 000002
【実用新案登録請求の範囲】
【請求項１】
グローブボックスに配設されている中空円筒状のグローブポートの内側に密着した状態
で着脱可能に嵌合するグローブポート閉塞用インナーリングであって、当該グローブポー
ト閉塞用インナーリングは、前記グローブポートの内側に密着した状態で着脱可能に嵌合
する密着円筒部と該密着円筒部の一端側を閉塞する円形隔壁部とによって構成されており
、前記円形隔壁部は透視可能な透明な材料によって形成されていることを特徴とするグロ
ーブボックスのグローブポート閉塞用インナーリング。
【請求項２】
前記円形隔壁部には、表面硬化処理が施されていることを特徴とする請求項１に記載の
グローブボックスのグローブポート閉塞用インナーリング。
【考案の詳細な説明】
【技術分野】
【０００１】
本考案は、原子力施設等において使用されるグローブボックスの操作用グローブを装着
するためのグローブポートを閉塞するグローブボックスのグローブポート閉塞用インナー
リングに関するものである。
【背景技術】
【０００２】
現在、原子力施設等で放射性物質を取り扱う場合には、外部からは気密状態に保たれて
いるグローブボックス内において作業をすることが一般的に行なわれている。
【０００３】
図６に示すように、グローブボックスを形成する透明な壁面Ｗには、操作用グローブ６
１を取り付けるための多数の中空円筒状のグローブポートＰが外部側に突出するように配
設されている。
【０００４】
図６に示した多数のグローブポートＰのうち、操作用グローブ６１が取り付けられてい
るグローブポートＰ以外のグローブポートＰの内側には、グローブボックスの内部の気密
性を保つためのグローブポート閉塞用インナーリングが装着されている。なお、図６にお
いて６２は、グローブポートＰの開口部を閉塞している保護蓋である。
【０００５】
このようなグローブポートＰの内側に装着されるグローブポート閉塞用インナーリング
は、グローブボックス内の気密性を維持するために、構成材料が劣化する前に定期的に交
換されて焼却処分されている。このため、グローブポート閉塞用インナーリングは、焼却
処分可能な材料によって構成されている。
【考案の概要】
【考案が解決しようとする課題】
【０００６】
このように従来のグローブポート閉塞用インナーリングは、焼却可能な合成樹脂や合成
ゴム等の材料によって構成されている。
【０００７】
ここで、従来のグローブポート閉塞用インナーリングは、不透明な合成樹脂によって構
成されていた。このため、図６に示したように、操作用グローブ６１が取り付けられてい
るグローブポートＰ以外のグローブポートＰの開口部の部分が透視不可能な部分となって
しまうために、操作用グローブ６１を使用する外部にいる操作者がグローブボックスの内
部を見る場合、その視界が著しく狭くなってしまうという問題点があった。
【課題を解決するための手段】
【０００８】
以上の問題点を解消するために、本考案は、グローブボックスに配設されている中空円
筒状のグローブポートの内側に密着した状態で着脱可能に嵌合するグローブポート閉塞用
インナーリングであって、当該グローブポート閉塞用インナーリングは、前記グローブポ
ートの内側に密着した状態で着脱可能に嵌合する密着円筒部と該密着円筒部の一端側を閉
塞する円形隔壁部とによって構成されており、前記円形隔壁部は透視可能な透明な材料に
よって形成されていることを特徴とするものである。
【０００９】
ここで、前記円形隔壁部には、表面硬化処理が施されていてもよい。
【考案の効果】
【００１０】
本考案によれば、グローブボックスの内部を外部から見る場合の視界を、従来に比して
著しく広くすることができてグローブボックスの使用者の操作性を向上させることができ
る。
【図面の簡単な説明】
【００１１】
【図１】本考案の実施例１の構成を示す断面図である。
【図２】本考案の実施例１の構成を示す斜視図である。
【図３】本考案の実施例１の構成を示す斜視図である。
【図４】本考案の実施例１をグローブポートに装着する場合の説明図である。
【図５】本考案の実施例１をグローブポートに装着する場合の説明図である。
【図６】グローブボックスの構成の説明図である。
【考案を実施するための形態】
【００１２】
以下、図面を用いて本考案の実施例を説明する。
【実施例１】
【００１３】
中空円筒状のグローブポートの内側に嵌合して、その開口部を閉塞する本考案の実施例
１に係るグローブポート閉塞用インナーリングの断面図を図１に示す、また、図１に示す
円形隔壁部２０側から視た本実施例１の斜視図を図２に示し、図２とは反対側から視た本
実施例１の斜視図を図３に示す。なお、図２，図３は、グローブポートの内壁面と密着す
る図１に示したパッキング１２を装着する前の本実施例１の状態を示した斜視図である。
【００１４】
図１ないし図３に示したように、本実施例１に係るグローブポート閉塞用のインナーリ
ング１は、グローブポートの内側に密着した状態で嵌合する密着円筒部１０と、この密着
円筒部１０の一端側を閉塞する円形隔壁部２０とによって構成されている。
【００１５】
図１に示したように、密着円筒部１０の外周壁部分にはその全周に亘って、グローブポ
ートの内壁面に密着するパッキング１２が複数個配設されている。１１は、パッキング１
２を収納するための収納溝である。
【００１６】
本実施例１に係るグローブポート閉塞用のインナーリング１は、最終的には焼却処分さ
れるものであるために、密着円筒部１０に配設されているパッキング１２を構成する材料
は、焼却可能な合成ゴム等の材料となっている。また、密着円筒部１０および円形隔壁部
２０は焼却可能な合成樹脂によって構成されている。
【００１７】
また、本実施例１においては、円形隔壁部２０は透視可能となるように、透明で焼却可能な合成樹脂によって構成されている。従って、本実施例１によってグローブポートの開口部を閉塞した場合には、この透明な円形隔壁部２０を通してグローブボックスの内部を外部から見ることができる。ここで、円形隔壁部２０を構成する材料は、焼却可能で且つ透明な材料で強度を有すればどのような材料であってもよい。
【００１８】
さらに、本実施例１の円形隔壁部２０には、放射性物質が付着しにくいように、グロー
ブボックスのアクリル壁面と同様な表面硬化処理が施されている。
【００１９】
なお、本実施例１においては、密着円筒部１０を、円形隔壁部２０と同様な透明な材料で構成してもよいし、さらに密着円筒部１０に表面硬化処理を施してもよい。
【００２０】
以上のように構成された本実施例１をグローブポートの内側に嵌合させる場合には、図
４，図５に示した従来から使用されている専用の交換用圧入具を用いて行う。
【００２１】
図４，図５において、Ｗはグローブボックスの壁面であり、Ｐはその壁面Ｗに配設され
ている中空円筒状のグローブポートである。
【００２２】
ここで、交換用圧入具は、グローブポートＰに係止する係止脚４１を有する圧入具本体
４０と、この圧入具本体４０に螺合するボルト部５１を有する操作用ハンドル５０と、ボルト部５１の先端に回動自在に取付けられた圧入板５２とによって構成されている。
【００２３】
グローブポートＰに既に装着されているグローブポート閉塞用インナーリング１を、新
たなグローブポート閉塞用インナーリング１と交換する場合には、図４に示したように、
既に装着されている古いインナーリング１の後方に、新しいインナーリング１を当接させ
た状態で、交換用押圧具を用いて新しいインナーリング１をグローブポートＰ内に強制的
に圧入させる（図５参照）。このようにして、新しいインナーリング１を、既存のインナ
ーリングの位置まで侵入させて、古いインナーリング１をグローブボックス内に押し出し
落下させることにより、インナーリングの交換が終了する。
【００２４】
このようにして、本実施例１に係るインナーリング１をグローブポートに装着した場合
には、インナーリング１によって閉塞されているグローブポートの開口部からもグローブ
ボックスの内部が見えるようになるために、従来のインナーリングを装着した場合に比し
て外部からグローブボックスの内部を見る際の視界を著しく広くすることができ、グロー
ブボックスを使用する使用者の操作性の向上を図ることができる。実際に、本願発明者が、鉛等不透明な材料または透明な含鉛ガラスからなる遮蔽体が前面に配設されているグローブボックスのグローブポートに本実施例１に係るインナーリング１を装着したところ、円形隔壁部２０から外部の照明も入り、グローブボックス内の視界が著しく広がり作業上の安全性が改善されたことが確認できた。
【符号の説明】
【００２５】
１    グローブボックス閉塞用インナーリング
１０  密着円筒部
１１  収納溝
１２  パッキング
２０  円形隔壁部
６１  操作用グローブ
Ｐ    グローブポート
Ｗ    壁面
【図１】
0003153073.tif 000003
【図２】
0003153073.tif 000004
【図３】
0003153073.tif 000005
【図４】
0003153073.tif 000006
【図５】
0003153073.tif 000007
【図６】
0003153073.tif 000008